(57)【要約】 【課題】 コストの上昇を抑えたうえで、超音波探傷検査に支障が生じないレベルにまで反射超音波を減衰させることが可能である浸漬型超音波探傷装置を提供する。【解決手段】水槽２及び超音波探触子４を備え、水槽２に満たした水中に被検体Ｓとともに超音波探触子４を浸漬させて超音波探傷検査を行う水浸型超音波探傷装置において、反射超音波ＷＡを減衰させる減衰材で水槽２の側壁面２１及び底面２２を被覆し、減衰材として人工芝６を用いた。【選択図】  図１
2007078472.tif 000002
【特許請求の範囲】
【請求項１】
液槽及び超音波探触子を備え、液槽に満たした液体の中に被検体とともに超音波探触子を浸漬させて超音波探傷検査を行う浸漬型超音波探傷装置において、反射超音波を減衰させる減衰材で液槽の側壁面及び底面を被覆し、減衰材として人工芝，布，スポンジ及び網のうちの少なくともいずれか一つを用いたことを特徴とする浸漬型超音波探傷装置。
【請求項２】
減衰材として複数に分割したタイプの人工芝を用いて液槽の側壁面及び底面を被覆した請求項１に記載の浸漬超音波探傷装置。
【発明の詳細な説明】
【技術分野】
【０００１】
本発明は、液槽に満たした液体の中に被検体とともに超音波探触子を浸漬させて超音波探傷検査を行うのに用いられる浸漬型超音波探傷装置に関するものである。
【背景技術】
【０００２】
従来、上記した浸漬型超音波探傷装置としては、例えば、水槽と超音波探触子を具備して、水槽に満たした水の中に被検体とともに超音波探触子を浸漬させて超音波探傷検査を行う水浸型超音波探傷装置があり、この水浸型超音波探傷装置では、水槽の壁面を研磨紙で被覆して雑音エコー減衰用壁としている。
【特許文献１】特開平７−９８３００号
【発明の開示】
【発明が解決しようとする課題】
【０００３】
ところが、上記した水浸型超音波探傷装置において、水槽の壁面における反射超音波をある程度まで減衰させることはできるものの、超音波探傷検査に支障が生じないレベルにまで反射超音波を減衰させることはできないという問題があり、この問題を解決することが従来の課題となっていた。
【０００４】
本発明は、上記した従来の課題に着目してなされたものであり、コストの上昇を抑えたうえで、超音波探傷検査に支障が生じないレベルにまで反射超音波を減衰させることが可能である浸漬型超音波探傷装置を提供することを目的としている。
【課題を解決するための手段】
【０００５】
本発明は、液槽及び超音波探触子を備え、液槽に満たした液体の中に被検体とともに超音波探触子を浸漬させて超音波探傷検査を行う浸漬型超音波探傷装置において、反射超音波を減衰させる減衰材で液槽の側壁面及び底面を被覆し、減衰材として人工芝，布，スポンジ及び網のうちの少なくともいずれか一つを用いた構成としたことを特徴としており、この浸漬型超音波探傷装置の構成を前述した従来の課題を解決するための手段としている。
【０００６】
本発明の浸漬型超音波探傷装置では、液槽の側壁面及び底面を被覆する減衰材として、表面が粗い人工芝，布，スポンジ及び網のうちの少なくともいずれか一つを用いるようにしているので、液槽の側壁面及び底面の減衰材に到達した超音波は、高低差のある無数の凹凸で四方八方に散乱することによって小さい音圧に分散されることとなり、したがって、液槽の側壁面及び底面における反射超音波は、超音波探傷検査に影響が及ばないレベルにまで減衰したものとなる。
【０００７】
この際、減衰材としての人工芝，布，スポンジ及び網は、いずれも安く入手し易い部材なので、コストの上昇を少なく抑え得ることとなる。
【発明の効果】
【０００８】
本発明の浸漬型超音波探傷装置によれば、上記した構成としているので、コストの上昇を抑えつつ、反射超音波を超音波探傷検査に影響がでないレベルにまで減衰させることが可能であるという非常に優れた効果がもたらされる。
【発明を実施するための最良の形態】
【０００９】
本発明の浸漬型超音波探傷装置において、液槽の側壁面及び底面を被覆する減衰材として人工芝を用いた場合、図２に示すように、側壁面及び底面の人工芝に到達した超音波は、無数の芝の葉によって四方八方に散乱することで小さい音圧に分散されることとなり、その結果、液槽の側壁面及び底面で反射した超音波は、超音波探傷検査に影響が及ばないレベルにまで減衰したものとなる。
【００１０】
また、本発明の浸漬型超音波探傷装置において、減衰材として複数に分割したタイプの人工芝を用いて液槽の側壁面及び底面を被覆した構成としてもよく、この場合には、液槽の側壁面及び底面に対する人工芝の着脱作業が簡単なものとなる。
【００１１】
さらに、本発明の浸漬型超音波探傷装置において、減衰材として用いられる網には、金属製及び布製のものを採用することができるほか、合成樹脂製のものも採用することが可能である。
【実施例】
【００１２】
以下、本発明を実施例により更に詳細に説明するが、本発明は以下の実施例に限定されるものではない。
【００１３】
図１及び図２は、本発明の一実施例による浸漬型超音波探傷装置を示しており、この実施例において、本発明の浸漬型超音波探傷装置が、水浸型超音波探傷装置である場合を示す。
【００１４】
図１に示すように、この水浸型超音波探傷装置１は、水槽（液槽）２と、ホルダ３により上下左右に移動可能に支持された超音波探触子４と、水槽２内において被検体Ｓを支持するベース５を備えており、水槽２に満たした水中に被検体Ｓとともに超音波探触子４を浸漬させて超音波探傷検査を行うようになっている。
【００１５】
水槽２の側壁面２１及び底面２２には、これらの側壁面２１及び底面２２に超音波探触子４から発せられた超音波Ｗが到達した段階において反射超音波ＷＡの音圧を減衰させる減衰材が設けてあり、この実施例では、減衰材としてセパレートタイプの人工芝６を用いている。
【００１６】
上記したように、この実施例における水浸型超音波探傷装置１では、水槽２の側壁面２１及び底面２２を被覆する減衰材として、表面が粗い人工芝６を用いるようにしていることから、水槽２の側壁面２１及び底面２２の人工芝６に到達した超音波Ｗは、図２にも示すように、高低差のある無数の葉６ａで四方八方に散乱することによって小さい音圧に分散されることとなり、したがって、水槽２の側壁面２１及び底面２２における反射超音波ＷＡは、超音波探傷検査に影響が及ばないレベルにまで減衰したものとなる。
【００１７】
また、減衰材としての人工芝６は、比較的安価で入手し易い部材なので、検査コストの上昇を少なく抑え得ることとなる。
【００１８】
さらに、上記した水浸型超音波探傷装置１では、減衰材としてセパレートタイプの人工芝６を用いていることから、水槽２の側壁面２１及び底面２２に対する人工芝の着脱作業が簡単なものとなる。
【００１９】
水浸型超音波探傷装置１では、減衰材として人工芝６を採用した場合を例示したが、減衰材として、布，スポンジ及び網を採用することが可能であり、減衰材として用いる網には、金属製及び布製のものを採用することができるほか、合成樹脂製のものも採用することが可能である。
【図面の簡単な説明】
【００２０】
【図１】本発明に係わる浸漬型超音波探傷装置の一実施例を示す水浸型超音波探傷装置の断面説明図である。（実施例１）
【図２】図１の水浸型超音波探傷装置における水槽の側壁面の部分拡大断面説明図である。（実施例１）
【符号の説明】
【００２１】
１  水浸型超音波探傷装置（浸漬型超音波探傷装置）
２  水槽（液層）
２１ 水槽の側壁面
２２ 水槽の底面
４  超音波探触子
６  人工芝（減衰材）
S   被検体
Ｗ  超音波
ＷＡ 反射超音波
【図１】
2007078472.tif 000003
【図２】
2007078472.tif 000004